(57)【要約】【課題】  ＶＣＲユニットとＤＶＤユニットとＨＤＤユニットの３つの記録再生機能を備えた記録再生複合装置において、従来あるＶＣＲユニットとＤＶＤユニットの２つの記録再生機能を備えた記録再生複合装置の外観寸法とほぼ同じ寸法に抑えることを目的とする。【解決手段】  筐体３の内部に、ＶＣＲユニット４を左側上部前方に配置し、ＤＶＤユニット５を右側上部前方に配置し、ＨＤＤユニット６を正面に側面部を向けた横向きにして右側下部後方に筐体底面７と間を空けて配置し、ＨＤＤユニット６の前端がＤＶＤユニット５の後端よりも前方に位置し間を開けて部分的に上下に対向していることを特徴とする。【選択図】図２
2006099909.tif 000002
【特許請求の範囲】
【請求項１】
ＶＣＲユニットとＤＶＤユニットとＨＤＤユニットの３つの記録再生機能を備えた記録再生複合装置において、正面の左側上部にビデオカセット用挿入排出口を有し正面の右側上部にＤＶＤディスク用挿入排出口を有し装置の外側ケーシングを構成している筐体の内部に、ＶＣＲユニットを左側上部前方に配置し、ＤＶＤユニットを右側上部前方に配置し、ＨＤＤユニットを正面に対して側面部を向けた横向きにして右側下部後方に筐体底面部と間を空けて配置し、上記したＨＤＤユニットの前端がＤＶＤユニットの後端よりも前方に位置させて、両者が間隙を設けて部分的にオーバラップさせて上下に対向して配置したことを特徴とする記録再生複合装置。
【請求項２】
前記ＶＣＲユニットはアナログ信号処理基板上に搭載配置し、前記ＤＶＤユニットの下部には間隙を設けてデジタル信号処理基板を配置し、前記ＨＤＤユニットの上部には間隙を設けてＰＣＢ電源基板を配置し、前記デジタル信号処理基板とＨＤＤユニット、及び、ＤＶＤユニットとＰＣＢ電源基板がそれぞれ相互に間隙を設けて接触しないように配置されたことを特徴とする請求項１記載の記録再生複合装置。
【請求項３】
支持部材を用いて前記ＤＶＤユニットとデジタル信号処理基板を一緒に支持して筐体に固定し、かつ別の支持部材を用いて前記ＨＤＤユニットとＰＣＢ電源基板を一緒に支持して筐体に固定したことを特徴とする請求項１又は請求項２記載の記録再生複合装置。
【請求項４】
前記ＶＣＲユニットと前記アナログ信号処理基板が接続され、前記ＰＣＢ電源基板から前記アナログ信号処理基板、前記ＤＶＤユニット及び前記ＨＤＤユニット間はそれぞれ電源配線が接続され、前記デジタル信号処理基板から前記アナログ信号処理基板、前記ＤＶＤユニット及び前記ＨＤＤユニット間はそれぞれ信号配線が接続され、各配線は隣り合っている上記各ユニット間を短距離で連結し、どの配線の中間部も前記ＤＶＤユニットに接触しないように配線したことを特徴とする請求項１、２又は３の内の一つに記載の記録再生複合装置。
【請求項５】
前記筐体の内部と外気をつなぐ通気部を少なくとも前記筐体の右側面の前方と右側の背面に設け、右側背面の前記通気部に排気用のファンを外付け配置したことを特徴とする請求項１、２、３又は４の内の一つに記載の記録再生複合装置。
【発明の詳細な説明】
【技術分野】
【０００１】
この発明は、ＶＣＲユニット（Video Cassette Recorder unit）とＤＶＤユニット（Digital Versatile Disk unit）とＨＤＤユニット（Hard Disk Drive unit）の３種類の記録再生装置を一台に収納して複合的に動作可能である複合装置において、従来のＶＣＲユニットとＤＶＤユニットの２種類の記録再生装置を一台に収納した記録再生複合装置と比べても、大幅に大型化させずに外観寸法をほぼ同じ大きさに抑えることが可能な記録再生複合装置に関するものである。
【０００２】
また、本発明は、各パーツの取り付けが簡単であり、配線故障トラブルを防止することが可能であり、効率よく放熱が可能な記録再生複合装置に関するものでもある。
【０００３】
本発明は、各ユニット及びパーツを如何に効率よく装置内に配置するかに係る発明であるので、本明細書においては、その位置関係を「前後方向」、「左右方向」、「上下方向」、の用語で説明する。ただし、この場合の相互の位置関係は、記録再生複合装置を通常の使用状態に静置させた状態で、装置の使用者に面した側を「前方」とし、使用者が見た左右方向を「左右」とし、その状態での上下方向を「上下」として説明する。
【背景技術】
【０００４】
従来の記録再生複合装置には、一般的には、２種類の記録再生装置たとえばＶＣＲユニットとＤＶＤユニットを備えた記録再生複合装置がある。その筐体内部に配置されている主なパーツは、ＶＣＲユニットとＤＶＤユニット（例えば、ＤＶＤ−ＲＷローダDigital Versatile Disk ReWritable）である。その他のパーツは、アナログ信号処理基板とデジタル信号処理基板（ＭＰＥＧ基板Moving  Picture  Experts  Group  board）とＰＣＢ電源基板である。
【０００５】
このように、２種類の記録再生装置を備えた記録再生複合装置は、従来から多くの公知例が知られている。
【０００６】
例えば、特許文献１は、テープ及びディスクの駆動のためのそれぞれの駆動部を一体に構成している複合記録／再生装置に関し、本体前面にカセットテープ及び光ディスクの挿入のための挿入口、テープ駆動部及びディスク駆動部を備え、テープ駆動部はヘッドドラムを含む走行系を備えたテープレコーダーデッキ及びテープレコーダーデッキにテープを安着させるホルダーを有し、ディスク駆動部は、ディスクトレー、テープ駆動部の後面に位置するディスクデッキ、ディスクデッキ及び本体上に形成されたギヤー群及びディスクトレーに形成されギヤー群と係合されるラックで構成されるディスクトレー移送手段、及び本体の内部に回動自在に結合されディスクデッキをローディング位置に移動させるディスクデッキ回動手段を含む複合記録／再生装置が開示されている。
【０００７】
また、特許文献２には、２台のテープデッキを内蔵する映像記録再生装置において、蓋部を閉じた場合でも、各デッキが動作していることを確認可能な映像記録再生装置を提供することを目的とするものであり、２台のテープデッキを内蔵し、テープデッキの動作を制御する操作部を有するベース部と、ベース部と結合関係にあり、ベース部に対し開閉動作をし、開蓋時に現れ閉蓋時に隠れる表示装置を有する蓋体と、ベース部又は蓋体の少なくとも一つに、２台のテープデッキの動作状態を示す表示部を有する映像記録再生装置が開示されている。
【０００８】
また、特許文献３には、ハードディスクドライブ装置を内蔵したビデオ信号記録及び／又は再生の防音効果を向上することを目的とし、機器の筺体内に内蔵するハードディスクドライブ装置を取付けベースに固定し、この取付ベースを下側回路基板上に脚片を介して所要間隔を置いて固定し、上側回路基板をハードディスクドライブ装置の上面側との間に所要の間隔を置くように支持部材により支持して配置するものが開示されている。
【０００９】
また、特許文献４には、回路等が共通化され、記録したディスクをそのまま再生できる機能が確保された、低コストなダブルデッキタイプのオーディオ装置の提供を目的とするものであり、ディスクの再生及び記録用のツインデッキタイプのオーディオ装置は、再生専用デッキと記録専用デッキとを有し、再生専用デッキ用のデコード回路及び記録専用デッキ用のエンコード回路の双方が、１つのエンコード／デコード回路に統合され、また、再生専用デッキ用のディスクが載置されるディスクトレイの配置と、記録専用デッキ用のディスクトレイの配置とを相互に入れ替えることができる機構を有するオーディオ装置が開示されている。
【００１０】
また、特許文献５には、ＤＶＤユニットとビデオカセットユニットを同一筐体に内装したオーディオ・ビデオ記録再生複合装置器において、シールド板を設けずに、作動装置から発生するノイズの影響を減らすことを目的とし、ビデオカセットデッキと筐体の底板パネルとの間に、ＤＶＤ作動装置、ビデオ作動装置を実装した両面基板を配置し、ＤＶＤ作動装置は、ビデオカセットデッキの下方に位置させ、ビデオカセットデッキの金属製シャーシと筐体の金属製底板パネルとにＤＶＤ作動装置が囲まれることにより、電磁シールドされ、ＤＶＤ作動装置から発生するノイズが遮蔽され、ビデオカセットデッキに影響を及ぼさないオーディオ・ビデオ記録再生複合装置器が開示されている。
【００１１】
さらに、ドライブユニットが３つ設けられた装置に関しても、特許文献６に、複数の記録／再生ユニットを設けることにより、撮像手段を含むこれらの間で画像信号のバックアップ記録、長時間連続記録を含む種々の画像処理を簡単に行い得る複数の記録／再生ユニットを有する撮像装置およびその記録／再生ユニットを提供するものであり、本体部に３台のドライブユニットが取り外し可能に装着されるとともに、本体部の一方の側にはカメラヘッド、ＣＣＵ、システムコントローラ等を含む制御部が取り付けられ、この制御部にカメラレンズが更に取り付けられ、該カメラレンズを介してカメラヘッドで撮像した画像信号は複数のドライブユニットに同時に記録されるというパラレル記録や、また複数のドライブユニットに順次記録するというシリーズ記録、更には各ドライブユニット間での編集記録等のような種々の記録再生編集処理を行うことができる記録／再生ユニットが開示されている。
【００１２】
また、特許文献７には、ユーザーが記録再生デッキ部を本体制御部に容易に着脱交換することができ、所望の記録媒体を選んで記録再生を行うことができるようにしたり、本体制御部の小型化を図ることができるようにしたりできる記録再生装置及びその使用方法を提供するものであり、記録媒体をスロットから内部に装填し記録再生のための機械的，電気的動作を行う記録再生デッキ部と、この記録再生デッキ部をワンタッチで着脱自在に装着可能な装着口を有し記録再生デッキ部への電源の供給や記録再生デッキ部を制御して記録再生動作を行わせる本体制御部とを備え、記録再生デッキ部は異なる種類の記録媒体毎に複数種類用意し、本体制御部は所望の記録再生デッキ部を装着口にワンタッチで装着することにより所望の種類の記録媒体の記録再生動作を行うことができるようにしたものが開示されている。
【００１３】
また、特許文献８には、単独でも動作可能なドライブを複数備えたビデオデッキの各ドライブの分割・統合を、ケーブル配線替えを行なうことなく容易に可能とするものであり、それぞれのドライブに備えられた着脱可能なデータバスコネクタを互いに接合して接続させることにより、複数のドライブ同士を相互に接続させていずれかのＩ／Ｆ＆セレクタ又はＩ／Ｆに接続された共通の外部機器との間でデータを送受信し、逆に、データバスコネクタを互いに離脱させることにより、複数のドライブに分割して互いに独立させてそれぞれ異なる外部機器との間でデータを送受信させ、ドライブのデータバスコネクタとビデオ表示モニタのビデオ端子とを直接接合して接続し、ドライブの記録媒体をビデオ表示し、分割時、ドライブの記録・削除動作を禁止し、再生動作のみを許容し、分割したドライブと記録媒体とを安全に他人に貸与することも可能とするものが開示されている。
【００１４】
【特許文献１】特開平８−１０６７６２号公報
【特許文献２】特開平１０−２２２９７３号公報
【特許文献３】特開２００２−８３６１号公報
【特許文献４】特開２００３−２８８７７１号公報
【特許文献５】特開２００４−１３４０１７号公報
【特許文献６】特開平１１−２８４９３８号公報
【特許文献７】特開平１１−２９７０５７号公報
【特許文献８】特開２００４−１３４０００号公報
【発明の開示】
【発明が解決しようとする課題】
【００１５】
以上のように、複数のドライブユニットを備えた記録再生複合装置は知られているが、従来のＶＣＲユニットとＤＶＤユニットを備えた記録再生複合装置にＨＤＤユニットを加えてＶＣＲユニット、ＤＶＤユニット及びＨＤＤユニットを一つの記録再生複合装置として構成する場合には、通常は、ＨＤＤユニットを収納するために筐体の幅または奥行きを拡大してスペースを作らねばならず、その分筐体を大型化しなければならず、装置の外観寸法を従来のＶＣＲユニット及びＤＶＤユニットの２つのユニットの記録再生複合装置とほぼ同等に抑えることはできなかった。
【００１６】
そのため、製造者は筐体の製造とパーツの組み立てを従来とは異なる製造ラインで製作しなければならず、従来の製造工程をそのまま使用することはできなかった。そうすると、ユーザーは、ＶＣＲユニットとＤＶＤユニットを備えた記録再生複合装置から、ＶＣＲユニットとＤＶＤユニットとＨＤＤユニットの３つの記録再生機能を備えた記録再生複合装置に買い換える時に、装置を収納するラックなど、従来使用していたものを利用できなくなる恐れが生じるものであった。
【００１７】
本発明は、新規な構成により、上記した問題を解決することが可能なＶＣＲユニットとＤＶＤユニットとＨＤＤユニットの３つの記録再生機能を備えた記録再生複合装置を提供することを目的とする。
【課題を解決するための手段】
【００１８】
請求項１に係る本発明のＶＣＲユニットとＤＶＤユニットとＨＤＤユニットの３つの記録再生機能を備えた記録再生複合装置は、正面の左側上部にビデオカセット用挿入排出口を有し正面の右側上部にＤＶＤディスク用挿入排出口を有し装置の外側ケーシングを構成している筐体の内部に、ＶＣＲユニットを左側上部前方に配置し、ＤＶＤユニットを右側上部前方に配置し、ＨＤＤユニットを正面に対して側面部を向けた横向きにして右側下部後方に筐体底面部と間を空けて配置し、上記したＨＤＤユニットの前端がＤＶＤユニットの後端よりも前方に位置させて、両者が間隙を設けて部分的にオーバラップして上下に対向させて配置したことを特徴とする。
【００１９】
請求項２に係る本発明の記録再生複合装置では、ＶＣＲユニットはアナログ信号処理基板上に搭載配置し、ＤＶＤユニットの下部には間隙を設けてデジタル信号処理基板を配置し、ＨＤＤユニットの上部には間隙を設けてＰＣＢ電源基板を配置し、デジタル信号処理基板とＨＤＤユニット、及び、ＤＶＤユニットとＰＣＢ電源基板がそれぞれ相互に間隙を設けて接触しないように配置されたことを特徴とする。
【００２０】
請求項３に係る本発明の記録再生複合装置は、支持部材を用いてＤＶＤユニットとデジタル信号処理基板を一緒に支持して筐体に固定し、かつ別の支持部材を用いてＨＤＤユニットとＰＣＢ電源基板を一緒に支持して筐体に固定したことを特徴とする。
【００２１】
請求項４に係る本発明の記録再生複合装置では、ＶＣＲユニットと前記アナログ信号処理基板が接続され、ＰＣＢ電源基板からアナログ信号処理基板、ＤＶＤユニット及びＨＤＤユニット間はそれぞれに電源配線が接続され、デジタル信号処理基板からアナログ信号処理基板、ＤＶＤユニット及びＨＤＤユニット間はそれぞれに信号配線が接続され、各配線は隣り合っている上記各ユニット間を短距離で連結し、どの配線の中間部もＤＶＤユニットに接触しないように配線したことを特徴とする。
【００２２】
請求項５に係る本発明の記録再生複合装置は、筐体の内部と外気をつなぐ通気部を少なくとも筐体の右側面の前方と右側の背面に設け、右側背面の前記通気部に排気用のファンを外付け配置したことを特徴とする。
【発明の効果】
【００２３】
請求項１の記録再生複合装置は、ＶＣＲユニットとＤＶＤユニットとＨＤＤユニットの３つの記録再生機能を備えた記録再生複合装置において、正面の左側上部にビデオカセット用挿入排出口を有し正面の右側上部にＤＶＤディスク用挿入排出口を有し装置の外側ケーシングを構成している筐体の内部に、ＶＣＲユニットを左側上部前方に配置し、ＤＶＤユニットを右側上部前方に配置し、ＨＤＤユニットを正面に対して側面部を向けた横向きにして右側下部後方に筐体底面部と間を空けて配置し、上記したＨＤＤユニットの前端がＤＶＤユニットの後端よりも前方に位置させて、両者が間隙を設けて部分的にオーバラップさせて上下に対向して配置したものであり、請求項１をはじめとする本発明によれば、各ユニットを効率よく配置することができるため、ＨＤＤユニットを加えても奥行きを大きくする必要がないので、従来のＶＣＲユニットとＤＶＤユニットの２つの記録再生機能を備えた記録再生複合装置とほぼ同じ大きさに筐体の外観寸法の拡大を抑えることができる。
【００２４】
また、製造者は筐体の製造とパーツの組み立てを従来と同じ製造ラインで製作することができ、従来の製造工程をそのまま使用してバラエティに富んだ生産が可能となる。そして、ユーザーは、従来の記録再生複合装置からＶＣＲユニットとＤＶＤユニットとＨＤＤユニットの３つの記録再生機能を備えた記録再生複合装置に買い換えても、従来使用していたラックなどの収納スペースをそのまま利用できる。
【００２５】
請求項２に記載された記録再生複合装置の発明によれば、請求項１において、前記ＶＣＲユニットはアナログ信号処理基板上に搭載配置し、前記ＤＶＤユニットの下部には間隙を設けてデジタル信号処理基板を配置し、前記ＨＤＤユニットの上部には間隙を設けてＰＣＢ電源基板を配置し、前記デジタル信号処理基板とＨＤＤユニット、及び、ＤＶＤユニットとＰＣＢ電源基板がそれぞれ相互に間隙を設けて接触しないように配置したものであり、各パーツを効率よく配置することができるため、ＨＤＤユニットを加えても奥行きを大きくする必要がないので、筐体の外観寸法の拡大を抑えることができる。
【００２６】
請求項３に記載された記録再生複合装置の発明によれば、請求項１又は請求項２において、支持部材を用いて前記ＤＶＤユニットとデジタル信号処理基板を一緒に支持して筐体に固定し、かつ別の支持部材を用いて前記ＨＤＤユニットとＰＣＢ電源基板を一緒に支持して筐体に固定したものであり、ＤＶＤユニットとデジタル信号処理基板を支持部材で一緒に固定し、同じく、ＨＤＤユニットとＰＣＢ電源基板を支持部材で一緒に固定することにより、使用する支持部材の数が少なくてすむ。また、この方式によれば、各パーツの取り付けが簡単になる。ＶＣＲユニットとＤＶＤユニット２つの記録再生機能を備えた記録再生複合装置にＨＤＤユニットを加えても、ＨＤＤユニットを筐体内に固定するための支持部材を新たに追加する必要がない。部品数が少なくてすみ、軽量化を図ることができ、工程が減り、その分組み立て時間が短縮できる。
【００２７】
請求項４に記載された記録再生複合装置の発明によれば、請求項１、２又は３の内の一つにおいて、前記ＶＣＲユニットと前記アナログ信号処理基板が接続され、前記ＰＣＢ電源基板から前記アナログ信号処理基板、前記ＤＶＤユニット及び前記ＨＤＤユニット間はそれぞれ電源配線が接続され、前記デジタル信号処理基板から前記アナログ信号処理基板、前記ＤＶＤユニット及び前記ＨＤＤユニット間はそれぞれ信号配線が接続され、各配線は隣り合っている上記各ユニット間を短距離で連結し、どの配線の中間部も前記ＤＶＤユニットに接触しないように配線したものであり、ＰＣＢ電源基板を右側に配置したことにより、外付けの複雑な配線を必要とせずに各配線の長さを短くすることができる。また、デジタル信号処理基板をＤＶＤユニットの下に設けたので、配線が途中でＤＶＤユニットに触れないため、断線の発生を防ぐことができる。
【００２８】
請求項５に記載された記録再生複合装置の発明によれば、請求項１、２、３又は４の内の一つにおいて、前記筐体の内部と外気をつなぐ通気部を少なくとも前記筐体の右側面の前方と右側の背面に設け、右側背面の前記通気部に排気用のファンを外付け配置したものであり、各パーツの間に空気中に放熱できるスペースを確保することができ、これらの配置が各パーツ間に空気が通り易い流路を形成し、ファンで強制的に排気することにより、右側面前方の通気部から外気を吸引し、常にＤＶＤユニットとデジタル信号処理基板とＨＤＤユニットとＰＣＢ電源基板の周囲に空気の流れが形成でき、奪った熱を右側背面の通気部から外に排気することができる。また、主な発熱源を筐体の右側に集約したため、効率的な冷却を集中的に行うことができる。
【発明を実施するための最良の形態】
【００２９】
以下、本発明に係る記録装置としてＶＣＲユニットとＤＶＤユニットとＨＤＤユニットの３つの記録再生機能を備えた記録再生複合装置を実施するための最良の形態の一例について図を参照しながら説明するが、本発明は本実施の形態にのみ限定されるべきものでないことは云うまでもない。
【００３０】
本発明に係る記録再生複合装置は、ユニットの構成上から見れば、従来の一般的なＶＣＲユニットとＤＶＤユニットの２つの記録再生機能を備えた記録再生複合装置にＨＤＤユニットを加えたものとの認識もできる。
【００３１】
そこで、従来の、ＶＣＲユニットとＤＶＤユニット２つの記録再生機能を備えた記録再生複合装置にＨＤＤユニットを追加して、本発明の如く、３つの記録再生機能を備えた記録再生複合装置を構成する一つの手法を、図６〜図８に基づいて説明する。本発明者らも、当初は、ＶＣＲユニットとＤＶＤユニットとＨＤＤユニットの３つの記録再生機能を備えた記録再生複合装置を構成する際に、これと同様に、従来のＶＣＲユニットとＤＶＤユニット２つの記録再生機能を備えた記録再生複合装置にＨＤＤユニットを追加することを試みた。これは、本発明を構成しないものであるが、本発明の理解を容易にするためには必要な途中経過である。なお、本発明においては、各基板上の各部品の配置に発明があるものではないので、詳細な部品配置については図示していない。
【００３２】
上述の本発明に至る経緯の概略を示すと、各ユニットの平面配置図は図６の通りであり、これは装置上面から見た内部構造の平面図である。まず、通常は一番大きなユニットであるＶＣＲユニット２４が装置の左側前方に配置され、その下にアナログ信号処理基板２８を配置した。図からも明らかなように、各ユニットを平面的にできるだけ密集して配置したが、個々のユニットを支持する構成であったために支持部材３１の数が多く、電源及び信号配線３２も長めである。
【００３３】
図７は、図６の装置の左側面から見た内部構造である。これに示すように、ＰＣＢ電源基板３０は、ＶＣＲユニット２４の後方に配置した。また、アナログ信号処理基板２８、ＤＶＤユニット２５、デジタル信号処理基板２９及びＰＣＢ電源基板３０は、それぞれ別々の支持部材３１により筐体２３内部に固定した。
【００３４】
図８は、図６の装置の右側面から見た内部構造である。これに示すように、ＤＶＤユニット２５の後方の筐体底面２７にＨＤＤユニット２６が支持部材３１で固定されている。
【００３５】
このように、各ユニット毎を独立した支持部材３１で固定する方法では、使用する支持部材３１の数が多くなる。また、以上のように、ＶＣＲユニット２４とＤＶＤユニット２５の２つの記録再生機能を備えた記録再生複合装置に、ＨＤＤユニット２６を単純に平面的に加えた場合には、単純に必要な面積は大きくなり、また、少なくともＨＤＤユニット２６を筐体内に固定するための支持部材を新たに追加しなければならない。すると、部品数も多くなり、軽量化を阻害する要因になり、組み立てる際の工程が増え、その分、組み立てに時間がかかることになる。
【００３６】
また、ＰＣＢ電源基板３０を左側に配置する構成では、電源回路と各ユニット間の電源及び信号配線３２が長くなり、各配線がＤＶＤユニット２５に触れてトレーのスライドにより断線を起こす危険性も考えられる。特に、デジタル信号処理基板２９をＤＶＤユニット２５の上に設けた場合には、そこに接続されている電源或いは信号配線がＤＶＤユニット２５自身に接触してしまう。
【００３７】
次いで、上述のような装置における発熱の問題を検討してみる。当然のこと、各ユニットが発熱するが、主としてＰＣＢ電源基板３０とデジタル信号処理基板２９が高熱を発するパーツである。そして、このようにＶＣＲユニットとＤＶＤユニットとＨＤＤユニットの３つの記録再生機能を備えた記録再生複合装置の場合には、ＨＤＤユニット２６が追加された分、消費する電力が増え、各ユニット及びパーツが密集して配置されると、相互の間隙に形成される空間に放熱できる余分なスペースが減少することにより、装置内の温度は上昇しやすくなる。しかも、デジタル信号処理基板２９が右側でＰＣＢ電源基板３０が左側というように発熱源が分散した場合には、ファンをつけても装置内全体に空気流を形成することは難しく、効率的に冷却できない。これは、ユニット及びパーツが増えて内部構造が複雑になり、各ユニット及びパーツが隙間無く密集し、空気の流れが悪くなり、かつ主要な熱源が離れて配置されていることなどが原因である。
【００３８】
以上のような経緯を経て到達した本発明の最良の実施形態を説明する。まず、図５には、本発明のＶＣＲユニット４とＤＶＤユニット５とＨＤＤユニット６の３つの記録再生機能を備えた記録再生複合装置の主要なユニットとパーツを平面的に配線接続した状態を示す。ＶＣＲユニット４はアナログ信号処理基板８上に搭載されており、デジタル信号処理基板（ＭＰＥＧ基板）９との間は、電源配線、ＶＩＤＥＯ／ＡＵＤＩＯ入出力配線及びタイマー・マイコン・通信配線の各配線１２で接続されている。ＤＶＤユニット５及びＨＤＤユニット６は、デジタル信号処理基板（ＭＰＥＧ基板）９と、それぞれ、デジタル信号線の配線１２で接続されている。ＶＣＲユニット４、ＤＶＤユニット５及びＨＤＤユニット６は、各々ＰＣＢ電源基板１０に対して電源供給が配線１２により為されている。
【００３９】
本発明は、この図５に示した主要なユニット及びパーツを、装置内に如何に効率的に配置するかである。図１は、本発明に係る記録再生複合装置の内部構造をあらわす正面配置図であり、図２は、本発明に係る記録再生複合装置の内部構造をあらわす平面配置図である。図中の数字３は、本装置の外側を構成している筐体である。該筐体３内部の左側上部前方にＶＣＲユニット４を配置し、筐体３内部の右側上部前方にＤＶＤユニット５を配置し、筐体３内部の右側下部後方にＨＤＤユニット６を配置する。その際、ＨＤＤユニット６は、正面に側面部を向けた横向きにして、筐体底面７と間隙を設けて配置する。
【００４０】
ここにおいて、ＨＤＤユニット６の前端（装置正面を向いているＨＤＤユニット６の側面部）は、ＤＶＤユニット５の後端よりも前方に位置させることにより距離Ｌ（図２）だけオーバラップする構成に配置し、両者は上下方向に若干の間隙を設けて部分的に上下に対向し、上面から見るとＤＶＤユニット５の下にＨＤＤユニット６の一部が入り込んで重なった構成とする。これは、ＤＶＤユニット５を筐体３の上面近くに配置し、その下部にデジタル信号処理基板（ＭＰＥＧ基板）９を配置し、ＨＤＤユニット６は筐体３の底面近くに配置し、その上部にＰＣＢ電源基板１０を配置することにより可能とされたものである。これにより、装置寸法を短く構成することが可能となる。
【００４１】
これにより、装置正面図は詳細に図示しないが、筐体３の正面の左側上部にはビデオカセット用挿入排出口１を形成し、ほぼ同じ高さで、正面の右側上部に横向きのＤＶＤディスク用挿入排出口２を形成している。
【００４２】
図３及び図４を参照すると、ＶＣＲユニット４の下部にアナログ信号処理基板８を配置し、ＤＶＤユニット５の下部に間を開けてデジタル信号処理基板９を配置し、ＨＤＤユニット６の上部に間を開けてＰＣＢ電源基板１０を配置した構成が明瞭に示されている。ここにおいて、デジタル信号処理基板９とＨＤＤユニット６、および、ＤＶＤユニット５とＰＣＢ電源基板１０がそれぞれ間隙を設けて配置される。このように間隙を設けるのは、各ユニットから発生した熱を間隙に放熱しやすくするためと、空気の流れる軌道（図４において矢印にて表示）を確保し空気が流れ易くするためである。また、主要な発熱部分であるデジタル信号処理基板（ＭＰＥＧ基板）９とＰＣＢ電源基板１０を近くにまとめて配置することによりその近傍にファンを設けて効率的な冷却を図ることができるものである。
【００４３】
各ユニット間に間隙を設けて配置するためには、支持部材１１を用いて固定する。その際には、各ユニットを独立した支持部材１１で支持する構成を採らずに、本発明においては、ＤＶＤユニット５と、その下に配置したデジタル信号処理基板９は同じ支持部材１１で一緒に筐体３に固定される（図１参照）。また、ＨＤＤユニット６とＰＣＢ電源基板１０も同じ支持部材１１で一緒に筐体３に固定される（図４参照）。支持部材１１は、ＤＶＤユニット５の場合も、ＨＤＤユニット６の場合も、両側部に取り付けて支持固定する。
【００４４】
ＨＤＤユニット６を筐体底面７から少し離して固定するのは、無用な衝撃を受けるのを防ぐことが主な目的である。また、ビデオカセット用挿入排出口とＤＶＤディスク用挿入排出口が、ほぼ同じ高さで、横に並んだデザインは、バランスがとれており完成度の高い印象を与えることができる。
【００４５】
各ユニット及びパーツ間の配線方法は、ＶＣＲユニット４とアナログ信号処理基板８が信号配線により接続され、ＰＣＢ電源基板１０からアナログ信号処理基板８とＤＶＤユニット５とＨＤＤユニット６へ、それぞれに電源配線１２が接続され、デジタル信号処理基板９からアナログ信号処理基板８とＤＶＤユニット５とＨＤＤユニット６へ、それぞれに信号配線１２が接続される。ＰＣＢ電源基板１０とアナログ信号処理基板８、ＤＶＤユニット５、ＨＤＤユニット６を接続する各配線１２は電源ケーブルである。デジタル信号処理基板９とＤＶＤユニット５、ＨＤＤユニット６を接続する配線１２はデジタル信号伝達ケーブルであり、アナログ信号処理基板８を接続する配線１２は、電源・タイマーマイコン通信・ビデオ／オーディオ入出力の各ケーブルである。各配線１２は隣り合っている上記各パーツ間を短距離で連結する。これは、ＰＣＢ電源基板１０を装置の右側後方上部に配置し、その前方で筐体底面７近く（装置の右側前方下部）にデジタル信号処理基板９を配置し、アナログ信号処理基板８を装置の左側下部に配置することにより達成される。ＤＶＤユニット５にはどの配線１２の中間も接触していない。
【００４６】
筐体３内部で各ユニット及びパーツから発生する熱を逃がすために、筐体３の内気と外気をつなぐ通気部１３を、少なくとも筐体３の右側面の前方と右側の背面に設ける。必要に応じて、通気部１３をさらに筐体３の多くの所望位置に設けることも可能である。本実施形態における通気部１３はスリット状であるが、穴やその他の形状であってもよい。
【００４７】
装置奥行きを増加させずにファン１４を取り付ける場合には、筐体３の内側と外気をつなぐ通気部１３を少なくとも筐体３の右側面の前方と右側の背面に設けて、右側背面の通気部１３に排気用のファン１４を外付けすることが好ましい。
【図面の簡単な説明】
【００４８】
【図１】本発明に係る記録再生複合装置の内部構造を表す正面図。
【図２】本発明に係る記録再生複合装置の内部構造を表す平面図。
【図３】本発明に係る記録再生複合装置の左側面から見た内部構造を表す左側面図。
【図４】本発明に係る記録再生複合装置の右側面から見た内部構造を表す右側面図。
【図５】本発明に係る記録再生複合装置の主要なユニット構成を表す説明図。
【図６】本発明の経緯を説明するための内部構造を表す平面図。
【図７】本発明の経緯を説明するための内部構造を表す左側面図。
【図８】本発明の経緯を説明するための内部構造を表す右側面図。
【符号の説明】
【００４９】
１  ビデオカセット用挿入排出口
２  ＤＶＤディスク用挿入排出口
３  筐体
４  ＶＣＲユニット
５  ＤＶＤユニット
６  ＨＤＤユニット
７  筐体底面
８  アナログ信号処理基板
９  デジタル信号処理基板
１０  ＰＣＢ電源基板
１１  支持部材
１２  各種配線
１３  通気部
１４  ファン
【図１】
2006099909.tif 000003
【図２】
2006099909.tif 000004
【図３】
2006099909.tif 000005
【図４】
2006099909.tif 000006
【図５】
2006099909.tif 000007
【図６】
2006099909.tif 000008
【図７】
2006099909.tif 000009
【図８】
2006099909.tif 000010